(57)【特許請求の範囲】
【請求項１】
下部に形成された液出口を閉じるために下方に向けて付勢され、上下方向に移動して前記液出口の開閉作動が自在な弁体を有するタンクと、該タンクを受け止めるタンク受けと、前記タンクが前記タンク受けに受け止められているときに前記弁体の下部に当接する当接面を有し、該当接面に垂直な方向に前記弁体を押し上げる弁操作部と、前記弁操作部によって前記弁体が押し上げられて前記液出口が開けられているときに前記液出口から流出する液体を貯留する貯留部とを備えた液体貯留装置において、
前記タンクは前記タンク受けに受け止められているときの受止め姿勢から一側に傾いた姿勢で前記タンク受けに対して着脱され、前記タンクが前記受止め姿勢にあるときに前記弁体が上下方向に移動する弁作動方向を、前記弁操作部が前記弁体を押し上げる弁押上げ方向に対して、前記タンクが前記受止め姿勢から傾く前記一側の反対側に偏倚した方向とするように構成されていることを特徴とする液体貯留装置。
【請求項２】
下部に形成された液出口を閉じるために下方に向けて付勢され、上下方向に移動して前記液出口の開閉作動が自在な弁体を有するタンクと、該タンクを受け止めるタンク受けと、前記タンクが前記タンク受けに受け止められているときに前記弁体の下部に当接する当接面を有し、該当接面に垂直な方向に前記弁体を押し上げる弁操作部と、前記弁操作部によって前記弁体が押し上げられて前記液出口が開けられているときに前記液出口から流出する液体を貯留する貯留部とを備えた液体貯留装置において、
前記タンクが前記タンク受けに受け止められているときの受止め姿勢から一側に傾いた着脱姿勢と前記受止め姿勢との間で姿勢変換するように案内するタンク案内部と、前記タンクが前記受止め姿勢にあるときに前記弁体が上下方向に移動する弁作動方向を、前記弁操作部が前記弁体を押し上げる弁押上げ方向に対して、前記タンクが前記受止め姿勢から傾く前記一側の反対側に偏倚した方向とする状態で前記弁体を前記タンクに保持させる弁体保持部とが設けられていることを特徴とする液体貯留装置。
【請求項３】
前記タンク受けは前記タンクの底部面を受け止めるタンク底部受けを備え、前記タンク案内部は、前記タンクの底部面の前記着脱姿勢で前記タンクがなす方向が前記受止め姿勢での前記弁押上げ方向に対して偏倚するタンク偏倚側に設けられた被係合部と、前記タンク底部受けの前記タンク偏倚側に設けられ、前記被係合部に係合する係合部とを備えている請求項２に記載の液体貯留装置。
【請求項４】
前記タンクは、下方に突き出た筒状の液補充口と該液補充口の先端外周部にネジ結合される筒状のキャップとを備え、前記液補充口の筒軸方向は、前記タンクが前記受止め姿勢にあるときの前記弁押上げ方向に対して、前記タンク受けに着脱されるときに前記タンクがなす方向の反対側に偏倚した方向であり、前記キャップの底壁部材に、該キャップの筒軸と同心に前記液出口が設けられると共に、前記弁作動方向が前記キャップの筒軸方向と一致するように前記弁体が支持されている請求項１から３のいずれか一項に記載の液体貯留装置。
【請求項５】
上側に位置するケーシングの一部と下側に位置する前記タンク受けとの間に形成された装着空間に対して、該装着空間の側方に位置して該装着空間の反対側に傾いた姿勢で前記タンクが着脱されるように、請求項１から４のいずれか一項に記載の液体貯留装置を備え、更に、外部の空気を吸い込んで循環させる送風ファンと、前記送風ファンが吸い込んだ空気を通過させて加湿する気化フィルタとを備え、前記貯留部に貯留されている水を前記気化フィルタに供給するように構成されていることを特徴とする空気清浄機。 
【発明の詳細な説明】
【技術分野】
【０００１】
本発明は、空気清浄機、加湿機などの給水装置、または液体燃料燃焼装置の燃料補給装置などとして使用される液体貯留装置に関し、特に、補充用の液体を入れたタンクを装着するとタンク側の弁体が開いてタンク内の液体が流出して貯留されるように構成した液体貯留装置、及び、該液体貯留装置を備えた加湿機能付きの空気清浄機に関する。
【背景技術】
【０００２】
前記液体貯留装置では、従来、タンクを受け止めるタンク受けの受け面を外向きに傾斜させるとともに受け面中央部に突起を設け、開閉式のカバーでタンクを押し込んで装着するように構成したもの（特許文献１参照）がある。この液体貯留装置でタンクを装着する時は、タンクカバーを開けてタンクを外側に傾いた状態でタンク受け面上に載せた後、カバーを閉めてタンクを押し込むことにより、弁体がタンク受け側に設けた弁操作部にて押し上げられて開状態となる受止め姿勢とし、一方、タンクの取り出し時は、タンクカバーを開けて、タンク受け面上の受止め姿勢から外側に傾くタンクを取り出す。
【特許文献１】特開平５−１８５０８号公報
【発明の開示】
【発明が解決しようとする課題】
【０００３】
前記液体貯留装置は、空気清浄機、加湿機などの構造上あるいはデザイン上の問題から空気清浄機などの側面または背面のケーシングが凹んだ領域に配置され、タンクの上側にケーシングの一部が近接位置する状態となる場合がある。その場合、タンクの着脱はタンク受けに対して真上からではなくタンクを傾けた状態で斜めから行う必要があるが、特許文献１に示すような従来の液体貯留装置では、タンクを傾けた状態で受止め姿勢に設置する過程で、上下方向に移動して開閉作動する弁体の弁作動方向が弁操作部の弁押上げ方向に対して傾いた斜め状態で弁体が弁操作部に当接するために弁体に大きなストレスが加わり、このような斜め状態での着脱を繰り返した場合に、弁体が変形して適正な弁作動をしなくなる虞がある。
【０００４】
本発明は、上述したような事情に鑑みてなされたものであり、タンクを受止め姿勢から傾いた姿勢で着脱する場合に、弁体の弁作動方向が弁操作部の弁押上げ方向に対して斜め状態で弁体が弁操作部に当接することを抑制して適正な弁作動を確保し、弁体に大きなストレスが加わることを防止することができる液体貯留装置、及び、該液体貯留装置を備えた加湿機能付きの空気清浄機を提供することを目的とする。
【課題を解決するための手段】
【０００５】
本発明に係る液体貯留装置は、下部に形成された液出口を閉じるために下方に向けて付勢され、上下方向に移動して前記液出口の開閉作動が自在な弁体を有するタンクと、該タンクを受け止めるタンク受けと、前記タンクが前記タンク受けに受け止められているときに前記弁体の下部に当接する当接面を有し、該当接面に垂直な方向に前記弁体を押し上げる弁操作部と、前記弁操作部によって前記弁体が押し上げられて前記液出口が開けられているときに前記液出口から流出する液体を貯留する貯留部とを備えた液体貯留装置において、前記タンクは前記タンク受けに受け止められているときの受止め姿勢一側に傾いた姿勢で前記タンク受けに対して着脱され、前記タンクが前記受止め姿勢にあるときに前記弁体が上下方向に移動する弁作動方向を、前記弁操作部が前記弁体を押し上げる弁押上げ方向に対して、前記タンクが前記受止め姿勢から傾く前記一側の反対側に偏倚した方向とするように構成されていることを特徴とする。
【０００６】
本発明によれば、タンクに備えた弁体の弁作動方向は、タンクが受止め姿勢のときに弁操作部の当接面に当接した弁体を当接面に垂直な方向に押し上げる弁押上げ方向に対して、タンク受けに着脱されるときにタンクが受止め姿勢から傾く一側の反対側に偏倚しているので、タンクを受止め姿勢から一側に傾いた姿勢でタンク受けに装着する場合に、弁体の弁作動方向が弁操作部による弁押上げ方向に対して予め偏倚した偏倚分はタンクが傾く方向が該偏倚の反対側であることにより打ち消されて小さくなる。その結果、弁体の弁作動方向が弁操作部の弁押上げ方向に沿う状態で弁体が弁操作部の当接面に当接して押し上げられ、液出口を開けるように弁作動する。その後、受止め姿勢に近づくに従い、弁作動方向は弁押上げ方向に対して偏倚した状態となる。一方、タンクを受止め姿勢から一側に傾いた姿勢でタンク受けから取り出す場合は、装着時とは逆に、受止め姿勢で弁作動方向が弁押上げ方向に対して偏倚した状態で弁体が弁操作部の当接面に当接しているが、取り出し姿勢ではタンクが傾く方向が該偏倚の反対側であることにより、受止め姿勢からタンクを取り出す姿勢に近づくに従い、弁作動方向が弁押上げ方向に対して偏倚した偏倚分が小さくなり、弁体の弁作動方向が弁操作部の弁押上げ方向に沿う状態で弁体が弁操作部の当接面との当接を解除して液出口を閉じるように弁作動する。
【０００７】
本発明に係る液体貯留装置は、下部に形成された液出口を閉じるために下方に向けて付勢され、上下方向に移動して前記液出口の開閉作動が自在な弁体を有するタンクと、前記タンクを受け止めるタンク受けと、前記タンクが前記タンク受けに受け止められているときに前記弁体の下部に当接する当接面を有し、該当接面に垂直な方向に前記弁体を押し上げる弁操作部と、前記弁操作部によって前記弁体が押し上げられて前記液出口が開けられているときに前記液出口から流出する液体を貯留する貯留部とを備えた液体貯留装置において、前記タンクが前記タンク受けに受け止められているときの受止め姿勢から一側に傾いた着脱姿勢と前記受止め姿勢との間で姿勢変換するように案内するタンク案内部と、前記タンクが前記受止め姿勢にあるときに前記弁体が上下方向に移動する弁作動方向を、前記弁操作部が前記弁体を押し上げる弁押上げ方向に対して、前記タンクが前記受止め姿勢から傾く前記一側の反対側に偏倚した方向とする状態で前記弁体を前記タンクに保持させる弁体保持部とが設けられていることを特徴とする。
【０００８】
本発明によれば、タンクに備えた弁体の弁作動方向は、タンクが受止め姿勢のときに弁操作部の当接面に当接した弁体を当接面に垂直な方向に押し上げる弁押上げ方向に対して、タンク受けに着脱されるときにタンクが受止め姿勢から傾く一側の反対側に偏倚した方向となる状態で弁体がタンクに保持されているので、タンクを受止め姿勢から一側に傾いた着脱姿勢でタンク受けに装着するために、タンク案内部により、受止め姿勢から一側に傾いた着脱姿勢から受止め姿勢に姿勢変換するように案内する場合に、弁体の弁作動方向が弁操作部による弁押上げ方向に対して予め偏倚した偏倚分は着脱姿勢でタンクが傾く方向が該偏倚の反対側であることにより小さくなる。その結果、弁体の弁作動方向が弁操作部の弁押上げ方向に沿う状態で弁体が弁操作部の当接面に当接して押し上げられ、液出口を開けるように弁作動する。その後、受止め姿勢に姿勢変換されるに従い、弁作動方向は弁押上げ方向に対して偏倚した状態となる。一方、タンクを受止め姿勢から一側に傾いた着脱姿勢でタンク受けから取り出すために、タンクを受止め姿勢から着脱姿勢に姿勢変換するように案内する場合は、装着時とは逆に、受止め姿勢で弁作動方向が弁押上げ方向に対して偏倚した状態で弁体が弁操作部の当接面に当接しているが、着脱姿勢でタンクが傾く方向が該偏倚の反対側であることにより、受止め姿勢から着脱姿勢に姿勢変換されるに従い、弁作動方向が弁押上げ方向に対して偏倚した偏倚分が小さくなり、弁体の弁作動方向が弁操作部の弁押上げ方向に沿う状態で弁体が弁操作部の当接面との当接を解除して液出口を閉じるように弁作動する。
【０００９】
本発明に係る液体貯留装置は、前述の発明において、前記タンク受けは前記タンクの底部面を受け止めるタンク底部受けを備え、前記タンク案内部は、前記タンクの底部面の前記着脱姿勢で前記タンクがなす方向が前記受止め姿勢での前記弁押上げ方向に対して偏倚するタンク偏倚側に設けられた被係合部と、前記タンク底部受けの前記タンク偏倚側に設けられ、前記被係合部に係合する係合部とを備えていることを特徴とする。
【００１０】
本発明によれば、タンクを装着する場合、タンクを受止め姿勢とは角度が異なる着脱姿勢にし、タンクの底部面の着脱姿勢でタンクがなす方向が受止め姿勢での弁押上げ方向に対して偏倚するタンク偏倚側に設けられた被係合部に、タンク底部受けの前記タンク偏倚側に設けられた係合部を係合させ、この被係合部と係合部の係合箇所を支点として着脱姿勢のタンクを回動させてタンク受けに受け止められる受け止め姿勢に姿勢変換するように案内する。タンクを取り出す場合は、受け止め姿勢にあるタンクを前記被係合部と係合部の係合箇所を支点として装着時とは逆向きに回動させて着脱姿勢に姿勢変換するように案内し、着脱姿勢にあるタンクを取り出すことができる。
【００１１】
本発明に係る液体貯留装置は、前述の発明において、前記タンクは、下方に突き出た筒状の液補充口と該液補充口の先端外周部にネジ結合される筒状のキャップとを備え、前記液補充口の筒軸方向は、前記タンクが前記受止め姿勢にあるときの前記弁押上げ方向に対して、前記タンク受けに着脱されるときに前記タンクがなす方向の反対側に偏倚した方向であり、前記キャップの底壁部材に、該キャップの筒軸と同心に前記液出口が設けられると共に、前記弁作動方向が前記キャップの筒軸方向と一致するように前記弁体が支持されていることを特徴とする。
【００１２】
本発明によれば、タンクの下方に突き出た筒状の液補充口の筒軸方向が、タンクが受止め姿勢にあるときの前記弁押上げ方向に対して、タンク受けに着脱されるときにタンクがなす方向の反対側に偏倚した方向であるとともに、液補充口の先端外周部にネジ結合された筒状のキャップに設けられた弁体の弁作動方向がキャップの筒軸方向と一致するので、タンクをタンク受けに装着する場合及びタンクをタンク受けから取り出す場合に、弁体の弁作動方向は弁操作部による弁押上げ方向に対して同一方向に近づいた方向となる。その結果、弁体は弁操作部に対して前述のように弁作動方向が弁操作部の弁押上げ方向に沿う状態で当接し又当接を解除するように弁作動する。同時に、キャップの底壁部材に支持された弁体は、キャップの筒軸方向に沿って弁作動し、キャップの底壁部材にキャップの筒軸と同心に設けられた液出口に対して適正に開閉作動する。
【００１３】
本発明に係る空気清浄機は、上側に位置するケーシングの一部と下側に位置する前記タンク受けとの間に形成された装着空間に対して、該装着空間の側方に位置して該装着空間の反対側に傾いた姿勢で前記タンクが着脱されるように、前述の発明に係る液体貯留装置を備え、更に、外部の空気を吸い込んで循環させる送風ファンと、前記送風ファンが吸い込んだ空気を通過させて加湿する気化フィルタとを備え、前記貯留部に貯留されている水を前記気化フィルタに供給するように構成されていることを特徴とする。
【００１４】
本発明によれば、上側に位置するケーシングの一部と下側に位置するタンク受けの間に形成された装着空間の側方に位置して該装着空間の反対側に傾いた姿勢のタンクを、該装着空間に対して差し込んでタンク受けに装着すると、受止め姿勢のタンクから流出して貯留部に貯留されている水が気化フィルタに供給され、送風ファンが吸い込んだ外部の空気が気化フィルタを通過して加湿される。
【発明の効果】
【００１５】
本発明に係る液体貯留装置によれば、タンクを受止め姿勢から傾いた姿勢で着脱する場合に、弁体が上下方向に移動して開閉作動する弁作動方向が弁操作部による弁体の押し上げ方向に沿う状態で弁体が弁操作部に対して当接し又当接を解除するようにして開閉作動するので、弁体の弁作動方向が弁操作部の弁押上げ方向に対して斜め状態で弁体が弁操作部に当接することを抑制して適正な弁作動を確保し、弁体に大きなストレスが加わることを防止することができる液体貯留装置が提供される。
【００１６】
また、本発明に係る液体貯留装置を備えることにより、補給用の水を入れたタンクを上側にケーシングの一部が位置し下側にタンク受けが位置する装着空間の側方から該装着空間の反対側に傾いた姿勢で該装着空間に装着するので、該タンクをケーシングの外方へ突出することが抑制された状態でケーシングの側面または背面などに装着することができ、構造的及びデザイン的に優れた加湿機能付きの空気清浄機が提供される。
【発明を実施するための最良の形態】
【００１７】
以下、本発明に係る液体貯留装置の実施の形態を、加湿機能付きの空気清浄機に備えた場合について図面に基づいて説明する。
【００１８】
図１は本発明に係る液体貯留装置のタンクの着脱状態を示す正面断面図であり、図２はタンクの装着状態を示す正面断面図である。
本発明に係る液体貯留装置は、下部に形成された液出口１０を閉じるために下方に向けて付勢された開閉作動自在な弁体７を有するタンク１と、装着状態のタンク１の底部及び一側部に接するように位置してタンク１を受け止めるタンク受け４と、タンク１がタンク受け４に受け止められているときに弁体７の下部に当接して弁体７を押し上げる弁操作部９と、弁操作部９によってタンク１の弁体７が押し上げられて液出口１０が開けられているときに液出口１０から流出する液体を貯留する貯留部１６とを備えている。
【００１９】
タンク受け４は、タンク１の底部面１ａを受け止めるタンク底部受け４ａと、タンク底部受け４ａに受け止められているタンク１の一側部を受け止めるタンク側部受け４ｂとによって構成されている。タンク側部受け４ｂは縦向きに配置された板材で構成されている。タンク底部受け４ａは、上部に位置する受け面と該受け面を支持する支持部とからなり台状に形成されている。タンク底部受け４ａの受け面は、タンク１の底部面１ａのタンク側部受け４ｂの反対側の部分に当接する。タンク底部受け４ａ及びタンク側部受け４ｂは、タンク１の奥行寸法（図１、図２において紙面に垂直方向の長さ）と整合している。タンク底部受け４ａの受け面には、ゴム、プラスチック等の弾性材料からなる板状のパッド５が取り付けてある。タンク底部受け４ａの受け面とタンク１の底部面１ａとの面同士が接合した状態でタンク１がタンク受け４に受け止められている。
【００２０】
貯留部１６は横壁１６ａと底部１６ｂとを有する液槽に形成されている。横壁１６ａの一部はタンク底部受け４ａの支持部を構成している。弁操作部９は柱状に形成されて上部に水平状態の当接面９ａを有し、タンク１がタンク受け４に受け止められているときに当接面９ａがタンク１の弁体７の下部に当接するように位置決めされて、貯留部１６の底部１６ｂに立設されている。ここで、弁操作部９の当接面９ａが水平状態であるので、弁操作部９の当接面９ａに垂直な方向である弁押上げ方向Ｋは鉛直方向になる。
【００２１】
タンク１は、図１に示すように、タンク受け４に受け止められているときの姿勢（図２に示す姿勢であり、以下、受止め姿勢という）とは角度が異なる姿勢でタンク受け４に着脱される。この実施の形態では、タンク１は受止め姿勢では鉛直姿勢であり、鉛直方向から一側（タンク側部受け４ｂの反対側）に傾いた姿勢でタンク受け４に着脱される。
【００２２】
図３は本発明に係る液体貯留装置のタンク１の全体構造を示す正面断面図であり、図４はタンク１の一部構造を拡大して示す正面断面図である。
補給用の水を入れるタンク１は、略直方体に形成され、上下方向を長手方向にした状態において、下方に突き出た筒状の液補充口３と液補充口３の先端外周部にネジ結合される筒状のキャップ２とを備えている。キャップ２の底壁部材１１に、キャップ２の筒軸と同心に液出口１０が設けられると共に、開閉作動する弁作動方向Ｊがキャップ２の筒軸方向と一致するように弁体７が支持されている。
【００２３】
タンク１の液補充口３の筒軸方向（弁作動方向Ｊ）は、タンク１が前記受止め姿勢にあるときに弁操作部９が弁体７を押し上げる弁押上げ方向Ｋ（図２参照）に対して、タンク受け４に着脱されるときにタンク１がなす方向（図１参照）の反対側（タンク側部受け４ｂが位置する側）に偏倚量Δθで偏倚した方向とされる。ここで、偏倚量Δθは、例えば数度から１０度程度の範囲の角度（例えば４度）とする。また弁押上げ方向Ｋは受止め姿勢にあるタンク１の底部面１ａに対して垂直方向を向くように設定されているので、弁作動方向Ｊはタンク１の底部面１ａの垂直方向に対して偏倚量Δθで偏倚している。
【００２４】
弁体７は上下方向に伸びる棒状部７ａと、棒状部７ａの下端に形成したフランジ部７ｂと、棒状部７ａの上部側に取り付けられ、下向きの球面状（断面円弧状）に形成された弁部７ｃとからなる。フランジ部７ｂは横方向に伸びた広幅形状に形成されている。底壁部材１１はキャップ２の筒軸方向と同軸状に上方側へ延びる円筒部１１ｂを有しており、この円筒部１１ｂの上部開口が液出口１０に対応し、該上部開口縁部の内側斜面に弁座１１ｃが形成されている。円筒部１１ｂの内側の底壁部材１１の中央に貫通孔１１ａが形成され、弁体７の棒状部７ａがこの貫通孔１１ａに貫通して上下方向に沿って開閉作動自在な状態に保持されている。弁体７の下端のフランジ部７ｂと底壁部材１１の下面の間には、弁体７を液出口１０に押し付けて閉じるようにするために弁体７を下方に向けて付勢するばね１２が配置されている。弁体７の下端のフランジ部７ｂが弁操作部９の当接面９ａに当接し、弁体７が弁操作部９にて押し上げられて開状態となった液出口１０から流出した液体は、弁体７の棒状部７ａと貫通孔１１ａの間隙を通って貯留部１６に流下する。
【００２５】
そして、液補充口３にキャップ２をネジ結合することにより、キャップ２の筒軸方向と一致するように設けた弁体７の弁作動方向Ｊが、タンク１が前記受止め姿勢にあるときに弁操作部９が弁体７を押し上げる弁押上げ方向Ｋに対して、タンク受け４に着脱されるときにタンク１がなす方向の反対側に偏倚した方向とされる。この実施の形態では、タンク１は着脱姿勢では横方向の一側（タンク側部受け４ｂの反対側）に傾くので、弁体７の弁作動方向Ｊは弁押上げ方向Ｋに対して該一側の反対側に偏倚する。また、弁体７の弁作動方向Ｊを、タンク１が受止め姿勢にあるときに弁操作部９が弁体７を押し上げる弁押上げ方向Ｋに対して、タンク受け４に着脱されるときにタンク１がなす方向の反対側に偏倚した方向とする状態で弁体７をタンク１に保持させる弁体保持部が、タンク１の液補充口３と液補充口３にネジ結合されるキャップ２とを介して、キャップ２の底壁部材１１に設けた貫通孔１１ａにて構成される。
【００２６】
上述のタンク１の着脱動作を円滑に行うために、タンク１の底部面１ａの一端部（タンク側部受け４ｂの反対側の端部）に、タンク１の奥行方向に沿って溝状の切欠部１３が形成され、タンク底部受け４ａの受け面の一端部（タンク側部受け４ｂの反対側の端部）に、上側に突出した突出部１４がタンク１の奥行方向に沿って条の形に形成されている。タンク１を装着する場合は、図１に示すように、タンク１を横方向の一側に傾いた着脱姿勢にしてタンク１の底部面１ａの一端部をタンク底部受け４ａの受け面の一端部に載せると、タンク１の底部面１ａに設けた切欠部１３に、タンク底部受け４ａの受け面に設けた突出部１４が係合し、この係合箇所を支点として一側に傾いた着脱姿勢のタンク１が該一側の反対側に回動してタンク受け４に受け止められる受け止め姿勢（図２の状態）に姿勢変換されるように案内される。タンク１を取り出す場合は、受け止め姿勢にあるタンク１を、前記係合箇所を支点として装着時とは逆の向きに回動させて着脱姿勢に姿勢変換するように案内し、この着脱姿勢のタンク１を取り出す。
【００２７】
以上より、タンク１がタンク受け４に受け止められているときの受止め姿勢とは角度が異なる着脱姿勢と前記受止め姿勢との間で姿勢変換するように案内するタンク案内部が、タンク１に設けた切欠部１３とタンク底部受け４に設けた突出部１４とによって構成される。切欠部１３が、タンク１の底部面１ａの前記着脱姿勢でタンク１がなす方向が前記受止め姿勢での前記弁押上げ方向Ｋに対して偏倚するタンク偏倚側に設けられた被係合部に対応し、突出部１４が、タンク底部受け４ａの前記タンク偏倚側に設けられ、前記被係合部（切欠部１３）に係合する係合部に対応する。
【００２８】
上述の構成の結果、タンク１が受止め姿勢にあるときに弁体７の弁作動方向Ｊが弁操作部９による弁押上げ方向Ｋに対して予め偏倚している向きと、タンク受け４に着脱されるときにタンク１が弁押上げ方向Ｋに対してなす方向の向きとが反対側であるので、タンク１を受止め姿勢とは角度が異なる姿勢でタンク受け４に装着する場合には、弁体７の弁作動方向Ｊが弁操作部９による弁押上げ方向Ｋに対して予め偏倚した偏倚分が打ち消されて小さくなり、弁作動方向Ｊが弁押上げ方向Ｋに沿う状態で弁体７が弁操作部９に当接して液出口１０を開けるように弁作動する。その後、受止め姿勢に近づくに従い、弁作動方向Ｊは弁押上げ方向Ｋに対して偏倚した状態となる。一方、タンク１を受止め姿勢とは角度が異なる姿勢でタンク受け４から取り出す場合は、装着時とは逆に、弁作動方向Ｊが弁押上げ方向Ｋに対して偏倚した状態で弁体７が弁操作部９に当接している受止め姿勢からタンク１を取り出す姿勢に近づくに従い、受止め姿勢で弁作動方向Ｊが弁押上げ方向Ｋに対して偏倚した偏倚分が小さくなり、弁体７の弁作動方向Ｊが弁操作部９の弁押上げ方向Ｋに沿う状態で弁体７が弁操作部９との当接を解除して液出口１０を閉じるように弁作動する。従って弁体７の弁作動方向Ｊが弁操作部９の弁押上げ方向Ｋに対して斜めの状態で弁体７が弁操作部９に当接することを抑制し、弁体７に大きなストレスが加わることを防止することができる。
【００２９】
ここで、従来の液体貯留装置について説明する。図９及び図１０は従来の液体貯留装置におけるタンクの着脱状態を示す正面断面図であり、図１１は従来の液体貯留装置におけるタンクの装着状態を示す正面断面図である。
この従来の液体貯留装置では、弁体７の弁作動方向Ｊ１を、タンク１が前記受止め姿勢にあるときに弁操作部９が弁体７を押し上げる弁押上げ方向Ｋと一致する方向にしている（図１１）。このため、タンク１を受止め姿勢とは角度が異なる姿勢でタンク受け４に着脱する場合に、タンク１が受止め姿勢とは異なる角度と同じ角度、弁体７の弁作動方向Ｊ１が弁押上げ方向Ｋに対して偏倚する（図９では、左側に傾く）ので、弁体７が弁操作部９に対して斜め状態で当接し、弁体７に大きなストレスが加わる。その結果、従来の液体貯留装置では、このような斜め姿勢での着脱を繰り返した場合には、図１０に示すように、弁体７が変形して適正な弁作動をしなくなる虞があるのに対し、本発明の液体貯留装置では、前述のように、弁体７が弁操作部９に対して適正な状態で当接して弁作動し、従来の液体貯留装置のような不都合が解消される。
【００３０】
また、本発明の液体貯留装置では、図２に示すように、タンク１が受止め姿勢にあるときに弁作動方向Ｊは弁押上げ方向Ｋに対して偏倚し、弁操作部９に当接した弁体７は貫通孔１１ａの軸心に対して傾いている（この実施の形態では右側に傾く）ので、弁体７の棒状部７ａと貫通孔１１ａの間隙付近に滞留している空気層のバランスが崩れて、タンク１内の液体との置換が円滑になされ、液出口１０を通ってタンク内の液体が円滑に流出することができる。
【００３１】
次に、本発明に係る液体貯留装置を備えた空気清浄機について説明する。
図５は本発明に係る空気清浄機を前面側から見たときの外観の概要を示す斜視図である。本発明の空気清浄機は、奥行きよりも横幅が広く縦長の略直方体に形成された外形を有し、上面部の手前側に、操作スイッチ２７ａ，２７ｂ（例えば、電源スイッチ２７ａと各種の調節スイッチ２７ｂ）と表示部２８とが設けられている。空気清浄機の側面部にタンク１が装着され、上面部の奥側に加湿空気の吹出口２６が設けられている。
【００３２】
図６は本発明に係る液体貯留装置を備えた空気清浄機の構造を示す背面一部断面図であり、図７は図６に示す空気清浄機のタンク着脱状態を示す背面断面図である。
液体貯留装置２０は空気清浄機のケーシング２１の側面に設けられている。空気清浄機は、上側に位置するケーシング２１の一部と下側に位置するタンク受け４との間に形成された装着空間Ｓに対して、該装着空間Ｓの側方に位置して該装着空間Ｓの反対側に傾いた姿勢でタンク１が着脱されるように、液体貯留装置２０を備えている。このような構成により、タンク１がケーシング２１の外方へ突出することが抑制され、構造的及びデザイン的に優れた加湿機能付きの空気清浄機が提供される。
【００３３】
図８は本発明に係る液体貯留装置を備えた空気清浄機の図６のＶＩＩＩ−ＶＩＩＩ位置における断面矢視図である。
空気清浄機の底部に貯留部１６が形成され、円盤型の気化フィルタ２３が軸心方向を水平方向に向けた姿勢で下部先端部を貯留部１６内の水に浸漬させるように貯留部１６の上部に配置されている。気化フィルタ２３は水平軸心周りに回転自在に支持され、気化フィルタ２３の上部に気化フィルタ２３を回転駆動するモータ２４が設けられている。この構成により、タンク１（図８において気化フィルタ２３の奥側に位置する）から流出して貯留部１６に貯留されている水が毛管作用によって気化フィルタ２３の内部に浸透するとともに、気化フィルタ２３が回転することにより、気化フィルタ２３の全体に対して水が供給される。
【００３４】
気化フィルタ２３の前面側には、空気中の塵埃を除去するフィルタ２５が設けられ、フィルタ２５の前に前面パネル２９が取り付けられている。図示はしないが、前面パネル２９に空気の吸込口が形成されている。気化フィルタ２３の後面側には、外部の空気を吸い込んで循環させる送風ファン２２が設けられている。送風ファン２２は駆動用のファンモータ２２Ａを備えている。送風ファン２２を通過した空気を上方に導く壁で構成された排出部３０が設けられ、排出部３０の上方端部に吹出口２６が位置している。この構成により、送風ファン２２によって前面側から吸い込まれた外部の空気が、フィルタ２５にて塵埃を除去されてから、気化フィルタ２３を通過して加湿された後、送風ファン２２を通過して上方に送られ排出部３０を経由して上部の吹出口２６から外部に吹き出される。
【００３５】
次に、他の実施の形態について説明する。
前述の実施の形態では、タンク１がタンク受け４に受け止められている受止め姿勢を鉛直方向に沿う姿勢とし、着脱するときの姿勢を鉛直方向から傾いた姿勢としたが、これに限るものではなく、種々の角度の姿勢に適用することができる。例えば、タンク１がタンク受け４に受け止められている姿勢を鉛直方向から傾いた姿勢とし、着脱するときの姿勢を鉛直方向に沿う姿勢としてもよい。
前述の実施の形態では、本発明に係る液体貯留装置を空気清浄機に備えたが、加湿器、燃料補給装置等の他の機器に備えてもよい。
【図面の簡単な説明】
【００３６】
【図１】本発明に係る液体貯留装置のタンクの着脱状態を示す正面断面図である。
【図２】本発明に係る液体貯留装置のタンクの装着状態を示す正面断面図である。
【図３】本発明に係る液体貯留装置のタンクの全体構造を示す正面断面図である。
【図４】本発明に係る液体貯留装置のタンクの一部構造を示す正面断面図である。
【図５】本発明に係る液体貯留装置を備えた空気清浄機の外観を示す斜視図である。
【図６】本発明に係る液体貯留装置を備えた空気清浄機の構造を示す背面一部断面図である。
【図７】本発明に係る液体貯留装置を備えた空気清浄機のタンク着脱状態を示す背面断面図である。
【図８】本発明に係る液体貯留装置を備えた空気清浄機の断面矢視図である。
【図９】従来の液体貯留装置におけるタンク着脱状態を示す正面断面図である。
【図１０】従来の液体貯留装置におけるタンク着脱状態を示す正面断面図である。
【図１１】従来の液体貯留装置におけるタンク装着状態を示す正面断面図である。
【符号の説明】
【００３７】
１      タンク
１ａ    底部面
２      キャップ
３      液補充口
４      タンク受け
４ａ    タンク底部受け
４ｂ    タンク側部受け
５      パッド
７      弁体
７ａ    棒状部
７ｂ    フランジ部
７ｃ    弁部
９      弁操作部
９ａ    当接面
１０    液出口
１１    底壁部材
１１ａ  貫通孔（弁体保持部）
１１ｂ  円筒部
１１ｃ  弁座
１２    ばね
１３    切欠部（被係合部、タンク案内部）
１４    突出部（係合部、タンク案内部）
１６    貯留部
１６ａ  横壁
１６ｂ  底部
２０    液体貯留装置
２１    ケーシング
２２    送風ファン
２２Ａ  ファンモータ
２３    気化フィルタ
２４    モータ
２５    フィルタ
２６    吹出口
２７ａ  操作スイッチ
２７ｂ  操作スイッチ
２８    表示部
２９    前面パネル
３０    排出部
Ｊ      弁作動方向
Ｊ１    弁作動方向
Ｋ      弁押上げ方向
Ｓ      装着空間
Δθ    偏倚量
【図１】
0004808192.tif 000002
【図２】
0004808192.tif 000003
【図３】
0004808192.tif 000004
【図４】
0004808192.tif 000005
【図５】
0004808192.tif 000006
【図６】
0004808192.tif 000007
【図７】
0004808192.tif 000008
【図８】
0004808192.tif 000009
【図９】
0004808192.tif 000010
【図１０】
0004808192.tif 000011
【図１１】
0004808192.tif 000012